(57)【要約】【課題】各種センサー（入力部）からのデータを観察部へ伝送する場合、入力部の特性に左右されず一様な感覚でデータを観察することができるようする。【解決手段】  複数の入力部からのアナログ出力をそれぞれデジタル変換し、前記入力部に対応するデータに識別情報を付加して伝送する。受信側は、前記識別情報に応じて各入力部からのデータをメモリのアドレス入力とし、各データに対応する変換出力を得て、各変換出力を表示手段で表示する。【選択図】      図１
2005222119.tif 000002
【特許請求の範囲】
【請求項１】
複数の入力部からのアナログ出力をそれぞれデジタル変換するアナログデジタル変換手段と、
前記アナログデジタル変換手段から得られたそれぞれの前記入力部からのデータに識別情報を付加したシリアルデータとして出力するパラレルシリアル変換手段と、
前記パラレルシリアル変換手段からの出力を受信し、前記識別情報に応じて各入力部からのデータをシリアルパラレル変換するシリアルパラレル変換手段と、
パラレル変換された各前記入力部からのデータをそれぞれ対応するメモリのアドレス入力とし、各データに対応する変換出力を得るデータ変換手段と、
前記データ変換手段からの各変換出力を表示するための表示手段とを具備したことを特徴とするアナログ量信号伝送装置。
【請求項２】
前記パラレルシリアル変換手段は、符号化処理部を含み、前記シリアルパラレル変換手段は、復号化処理部を含むことを特徴とする請求項１記載のアナログ量信号伝送装置。
【発明の詳細な説明】
【技術分野】
【０００１】
本発明は、複数の入力部（例えば各種のセンサ）からのアナログ出力をスケール表示する場合に有効なアナログ量伝送装置に関する。
【背景技術】
【０００２】
従来、温度計、湿度計、圧力センサーなどから出力されるレベルは、メーカーなどの相違により多種多様である。センサー信号を表示部で表示しようとした場合、センサーの特性に合わせてレベル変換などの調整が必要である。特にセンサーの偏差による校正は、その特性が曲線であると特に困難を伴う。
【発明の開示】
【発明が解決しようとする課題】
【０００３】
各種のセンサーからの出力を、一括して監視したい場合がある。しかも、センサーは種々のメーカのものが混在する場合もある。しかし上記の如く、センサーから出力されるレベルが、メーカーなどの相違により多種多様である場合、一括して監視するのに不便である。特に計器類の表示特性が種々であると、観察者が一様な概念で観察することができず、誤認することがある。また、修理点検時にセンサーを簡単に取り替えることができないという問題もある。
【０００４】
そこでこの発明は、各種センサー（入力部）からのデータを観察部へ伝送することができ、この場合、入力部の特性に左右されず一様な感覚でデータを観察することができるようにしたアナログ量信号伝送装置を提供することを目的とする。
【課題を解決するための手段】
【０００５】
この発明は上記の目的を達成するために、複数の入力部からのアナログ出力をそれぞれデジタル変換するアナログデジタル変換手段と、前記アナログデジタル変換手段から得られたそれぞれの入力部からのデータに識別情報を付加したシリアルデータとして出力するパラレルシリアル変換手段と、前記パラレルシリアル変換手段からの出力を受信し、識別情報に応じて各入力部からのデータをシリアルパラレル変換するシリアルパラレル変換手段と、前記各入力部からのデータの変化特性を、それぞれ出力特性が同種の変化特性となるような変換データをそれぞれ格納した複数のメモリを有したメモリ部と、パラレル変換された各入力部からのデータをそれぞれ対応する前記メモリのアドレス入力とし、各データに対応する変換出力を得るデータ変換手段と、前記データ変換手段からの各変換出力を表示するための表示手段とを備えるものである。
【発明の効果】
【０００６】
上記の手段により、種々の入力部（センサ）の出力が、同じ表示部で表示されても、その表示特性は、メモリの変換データにより、同種の表示特性となるように修正される。このためにユーザは、観察時のイメージ感覚、スケールなどを切り替えて見る必要もなく、誤認を生じにくくなる。
【発明を実施するための最良の形態】
【０００７】
以下、本発明の実施の形態を図面を参照して説明する。図１には、各種のセンサーＡ，Ｂ，Ｃ、…からの出力がアナログデジタル変換機１１に入力されている。センサーＡ，Ｂ，Ｃ、…としては、温度計、湿度計、圧力計など各種のものがある。また、同じ温度計であっても、異なるメーカーのものが存在することもある。これらのセンサーの出力は、コントローラ１２により、任意にアナログデジタル変換器１１に取り込まれ、アナログ量がデジタル値に変換される。そしてデジタル値は、パラレルシリアル変換及び符号化部１４に供給される。
【０００８】
パラレルシリアル変換及び符号化部１４は、並列入力を符号化するとともにシリアル出力に変換する機能とを有する。シリアル出力は、復号及びシリアルパラレル変換２１に入力される。ここではシリアル入力を並列データに変換するとともに、符号化されたデータを復号する機能を有する。各センサーからのデータがそれぞれ分離されて復号される。復号データは、セレクタ２２に入力される。セレクタ２２の出力は、メモリ２３Ａ−２３Ｄの読み出しアドレスに供給される。メモリ２３Ａ−２３Ｄは、夫々センサーＡ−Ｄに対応している。そして、各センサーの出力特性を変換するためのデータを格納している。
【０００９】
メモリ２３Ａ−２３Ｄからの出力は、セレクタ２４を介して表示装置３０（例えばパーソナルコンピュータ）に送られる。表示装置３０では、セレクタ２４を制御し、各メモリ２３Ａ−２３Ｄからの出力を取り込み、任意のデータを表示することができる。
【００１０】
表示形態としては、１つのメモリからの出力を選択して表示することも可能であるし、また複数のメモリからの出力を選択して、同一画面に比較して表示することも可能である。
【００１１】
図２は、各センサーＡ−Ｄからのデータに対して識別用のヘッダが付されたシリアルデータの様子を示している。
【００１２】
また図３は、各センサーＡ，Ｂ，Ｃ，Ｄの実際の計測値に対する、センサーの計測値のいくつかの出力例を示している。このように実際の計測値に対して出力特性が異なるセンサが存在するために、メモリＡ−Ｄでは、それぞれのセンサの出力特性が、例えばリニアに変化するように補正している。
【００１３】
図４（A）〜（C）は、ポテンションメータの出力の変換例である。ポテンションメータ（同図（A））の出力（同図(b)）を受信側では、同図（C）のように変化するように変換している例である。つまり、ポテンションメータは、電圧（V）が与えられた抵抗４１をスライダー４２がスライドすることにより、同図（B）に示すようなリニア出力を得るのであるが、同図（C）に示すように、中点を中心にして対称に変化する出力特性を得る場合は、本発明のようにメモリを利用することで可能である。
【００１４】
図５（A）、（B）は、それぞれAD変換データに対する出力データ値の例を示している。このように、本発明によると種々の入力部（センサ）の出力が、同じ表示部で表示されても、その表示特性は、メモリの変換データにより、同種の表示特性となるように修正される。このためにユーザは、観察時のイメージ感覚、スケールなどを切り替えて見る必要もなく、誤認を生じにくくなる。
【図面の簡単な説明】
【００１５】
【図１】本発明の一実施の形態を示す図。
【図２】本発明の装置におけるシリアルデータの伝送フォーマットの例を示す図。
【図３】各種センサの計測値に対する出力特性の例を示す説明図。
【図４】本発明の装置におけるポテンションメータの出力の変遷の様子を示す説明図。
【図５】本発明の装置におけるデータ変換の例を示す説明図。
【符号の説明】
【００１６】
１１…アナログデジタル変換器、１２…コントローラ、１４…パラレルシリアル変換及び符号化部、２１…復号及びシリアルパラレル変換、２２…セレクタ、２３A-２３D…メモリ。
【図１】
2005222119.tif 000003
【図２】
2005222119.tif 000004
【図３】
2005222119.tif 000005
【図４】
2005222119.tif 000006
【図５】
2005222119.tif 000007